(57)【要約】【課題】効率の向上を図るとともに、省エネルギー化およびコストの低減を図りながら、空調対象空間の空調や貯湯タンクへの貯湯を行うこと。【解決手段】貯湯タンク１内の湯水を給湯することが予測される給湯用時間帯を設定する給湯用時間帯設定手段と、ヒートポンプ装置を空調運転することが予測される空調運転用時間帯を設定する空調運転用時間帯設定手段とが設けられ、運転制御手段は、給湯用時間帯設定情報および空調運転用時間帯設定情報に基づいて、加熱運転によって給湯用時間帯の開始時刻に貯湯タンク１内の貯湯量を目標貯湯量にするための加熱運転開始時刻を空調運転用時間帯内に求め、その加熱運転開始時刻から給湯用時間帯の開始時刻までの加熱運転用時間帯においては、空調要求により空調運転を行っているときに加熱運転を行うように、ヒートポンプ装置の運転を制御するように構成されている。【選択図】        図１
2004205139.tif 000002
【特許請求の範囲】
【請求項１】
貯湯タンク内の湯水を加熱する加熱運転と空調対象空間を空調する空調運転とを実行可能なヒートポンプ装置と、
そのヒートポンプ装置の運転を制御する運転制御手段とが設けられている貯湯式の給湯熱源装置であって、
前記貯湯タンク内の湯水を給湯することが予測される給湯用時間帯を設定する給湯用時間帯設定手段と、
前記ヒートポンプ装置を空調運転することが予測される空調運転用時間帯を設定する空調運転用時間帯設定手段とが設けられ、
前記運転制御手段は、前記給湯用時間帯設定手段による給湯用時間帯設定情報および前記空調運転用時間帯設定手段による空調運転用時間帯設定情報に基づいて、前記加熱運転によって前記給湯用時間帯の開始時刻に前記貯湯タンク内の貯湯量を目標貯湯量にするための加熱運転開始時刻を前記空調運転用時間帯内に求め、
その加熱運転開始時刻から前記給湯用時間帯の開始時刻までの加熱運転用時間帯においては、空調要求により前記空調運転を行っているときに前記加熱運転を行うように、前記ヒートポンプ装置の運転を制御するように構成されている貯湯式の給湯熱源装置。
【請求項２】
前記給湯用時間帯設定手段は、前記貯湯タンク内の湯水を実際に給湯した実給湯状況に基づいて、前記給湯用時間帯を設定するように構成されている請求項１に記載の貯湯式の給湯熱源装置。
【請求項３】
前記空調運転用時間帯設定手段は、前記空調要求に基づいて実際に前記ヒートポンプ装置を前記空調運転させた実空調運転状況に基づいて、前記空調運転用時間帯を設定するように構成されている請求項１または２に記載の貯湯式の給湯熱源装置。
【請求項４】
前記運転制御手段は、前記給湯用時間帯において前記貯湯タンク内の湯水を実際に給湯した実給湯量に基づいて、前記目標貯湯量を求めるように構成されている請求項１〜３のいずれか１項に記載の貯湯式の給湯熱源装置。
【請求項５】
前記運転制御手段は、前記給湯用時間帯設定手段による給湯用時間帯設定情報および前記空調運転用時間帯設定手段による空調運転用時間帯設定情報に基づいて、前記加熱運転用時間帯の後の前記空調運転用時間帯内に後処理用加熱運転用時間帯を設定し、その後処理用加熱運転用時間帯においては、空調要求により前記空調運転を行っているときに後処理用の目標貯湯量を前記貯湯タンク内に貯湯するために前記加熱運転を行うように、前記ヒートポンプ装置の運転を制御するように構成されている請求項１〜４のいずれか１項に記載の貯湯式の給湯熱源装置。
【発明の詳細な説明】
【０００１】
【発明の属する技術分野】
本発明は、貯湯タンク内の湯水を加熱する加熱運転と空調対象空間を空調する空調運転とを実行可能なヒートポンプ装置と、そのヒートポンプ装置の運転を制御する運転制御手段とが設けられている貯湯式の給湯熱源装置に関する。
【０００２】
【従来の技術】
上記のような貯湯式の給湯熱源装置は、一般家庭用に用いられ、運転制御手段が、空調要求によりヒートポンプ装置を暖房運転や冷房運転させることにより、居室などの空調対象空間を暖房や冷房するとともに、ヒートポンプ装置を加熱運転させることにより、貯湯タンク内に湯水を貯湯して、その貯湯された湯水を給湯栓や浴槽などに給湯するようにしているものである。
【０００３】
そして、従来の貯湯式の給湯熱源装置では、運転制御手段が、空調要求により空調運転を行っているときには、空調対象空間が目標空調状態になると、ヒートポンプ装置を連続運転させて加熱運転させることにより、効率の向上を図りながら、空調対象空間の空調や貯湯タンクへの貯湯を行うようにしている。
【０００４】
説明を加えると、運転制御手段は、空調運転に行っているときに、空調対象空間が目標空調状態になることにより、ヒートポンプ装置の運転を一旦停止させ、空調対象空間が目標空調状態から外れることにより、ヒートポンプ装置の運転を再開させるように、ヒートポンプ装置を断続運転させることも可能である。
しかしながら、このような場合には、ヒートポンプ装置の運転開始および運転停止を繰り返すことになり、効率の低い運転開始初期を何度も含む状態でヒートポンプ装置を運転させることになって、効率が低いものとなる。
したがって、運転制御手段が、空調運転を行っているときに、ヒートポンプ装置を連続運転させて加熱運転させることにより、効率の向上を図りながら、空調対象空間の空調や貯湯タンクへの貯湯を行うことができることになる（例えば、特許文献１参照）。
【０００５】
【特許文献１】
特開２００１−２９６０５７号公報
【０００６】
【発明が解決しようとする課題】
しかしながら、上記従来の貯湯式の給湯熱源装置では、運転制御手段が、空調運転を行っているときには、単純に、空調対象空間が目標空調状態になると、加熱運転を行っているので、その後に貯湯タンク内の湯水を給湯しないことが予測できるような時間帯であっても、空調対象空間が目標空調状態になりさえすれば、加熱運転を行って、貯湯タンク内に湯水を貯湯することになる。
【０００７】
例えば、貯湯タンク内の湯水を給湯する時間帯が１９時〜２１時で、深夜時間帯には貯湯タンク内の湯水を給湯することがほとんどないような使用パターンの家庭を例に挙げて説明を加えると、この家庭では、深夜時間帯の手前の時間帯には、その後に貯湯タンク内の湯水を給湯しないことが予測できる。
しかしながら、運転制御手段は、深夜時間帯の手前の時間帯に空調運転を行っているときに、空調対象空間が目標空調状態になると、加熱運転を行って、貯湯タンク内に湯水を貯湯することになる。
【０００８】
このように、その後に貯湯タンク内の湯水を給湯しないことが予測できるような時間帯であっても、加熱運転を行って、貯湯タンク内に湯水を貯湯することになると、貯湯タンク内に貯湯された湯水のほとんどが給湯に使用されずに放熱されるだけとなるので、エネルギーロスを招くことになる。
【０００９】
また、実際には、貯湯タンク内に貯湯された湯水のほとんどが給湯に使用されないにもかかわらず、加熱運転を行うと、その分だけ加熱運転を行うための部材の動作回数が増大することになるので、加熱運転を行うための部材に対して高い耐久性能が求められて、コストアップを招く虞がある。
【００１０】
本発明は、かかる点に着目されたものであり、その目的は、効率の向上を図るとともに、省エネルギー化およびコストの低減を図りながら、空調対象空間の空調や貯湯タンクへの貯湯を行うことが可能となる貯湯式の給湯熱源装置を提供する点にある。
【００１１】
【課題を解決するための手段】
この目的を達成するために、請求項１に記載の発明によれば、貯湯タンク内の湯水を加熱する加熱運転と空調対象空間を空調する空調運転とを実行可能なヒートポンプ装置と、そのヒートポンプ装置の運転を制御する運転制御手段とが設けられている貯湯式の給湯熱源装置において、
前記貯湯タンク内の湯水を給湯することが予測される給湯用時間帯を設定する給湯用時間帯設定手段と、
前記ヒートポンプ装置を空調運転することが予測される空調運転用時間帯を設定する空調運転用時間帯設定手段とが設けられ、
前記運転制御手段は、前記給湯用時間帯設定手段による給湯用時間帯設定情報および前記空調運転用時間帯設定手段による空調運転用時間帯設定情報に基づいて、前記加熱運転によって前記給湯用時間帯の開始時刻に前記貯湯タンク内の貯湯量を目標貯湯量にするための加熱運転開始時刻を前記空調運転用時間帯内に求め、
その加熱運転開始時刻から前記給湯用時間帯の開始時刻までの加熱運転用時間帯においては、空調要求により前記空調運転を行っているときに前記加熱運転を行うように、前記ヒートポンプ装置の運転を制御するように構成されている。
【００１２】
すなわち、給湯用時間帯設定手段は、各家庭での使用パターンに合わせて、自動的にまたは人為的に、貯湯タンク内の湯水を給湯することが予測される給湯用時間帯を設定できることになる。
また、空調用時間帯設定手段は、各家庭での使用パターンに合わせて、自動的にまたは人為的に、ヒートポンプ装置を空調運転することが予測される空調運転用時間帯を設定できることになる。
【００１３】
前記運転制御手段は、給湯用時間帯設定情報および空調運転用時間帯設定情報に基づいて、加熱運転開始時刻を空調運転用時間帯内に求め、加熱運転開始時刻から給湯用時間帯の開始時刻までを加熱運転用時間帯とすることにより、ヒートポンプ装置を空調運転することが予測されて、ヒートポンプ装置を連続運転させるように、空調運転を行うときに加熱運転を行えることが予測される時間帯であって、かつ、その後に貯湯タンク内の湯水を給湯することが予測されて、その給湯に備えて加熱運転を行うべき時間帯を、加熱運転用時間帯とすることができることになる。
【００１４】
ちなみに、各家庭の使用パターンによって時間帯が前後に移動することになるが、一般的には、貯湯タンク内の湯水を実際に貯湯した実給湯状況を示す図４の（イ）、および、空調運転を実際に行った実空調運転状況を示す図４の（ロ）に示すように、貯湯タンク内の湯水を給湯することが予測できる時間帯と空調運転を行うことが予測できる時間帯とが存在することになる。
そして、貯湯タンク内の湯水を給湯することが予測できる時間帯の前に、その給湯に備えて加熱運転を行うべき時間帯が存在することになり、その時間帯と空調運転を行うことが予測される時間帯とが重複する時間帯を、加熱運転用時間帯とすることができ、各家庭の使用パターンに応じて、加熱運転用時間帯が設定されることになる。
【００１５】
そして、運転制御手段は、加熱運転用時間帯においては、空調要求により空調運転を行っているときに加熱運転を行うように、ヒートポンプ装置の運転を制御することにより、その後に貯湯タンク内の湯水を給湯することが予測されるときには、空調運転を行っているときに加熱運転を行うことができることになる。
また、運転制御手段は、加熱運転用時間帯以外の時間帯においては、空調要求により空調運転を行っていても、加熱運転を行わないように、ヒートポンプ装置の運転を制御することにより、その後に貯湯タンク内の湯水を給湯することが予測されないときには、空調運転を行っているときでも、加熱運転を行わないようにできることになる。
【００１６】
したがって、運転制御手段は、その後に貯湯タンク内の湯水を給湯することが予測されるときには、空調運転を行うときに加熱運転を行うことにより、ヒートポンプ装置を連続運転させながら、空調対象空間の空調や貯湯タンクへの貯湯を行うことができることになる。
しかも、運転制御手段は、貯湯タンク内の湯水を給湯することが予測されないときには、加熱運転を行わないようにできることになり、貯湯タンクの貯湯を無駄に行うことを抑制できることになる。
【００１７】
以上のことから、ヒートポンプ装置を連続運転させながら、空調対象空間の空調や貯湯タンクへの貯湯を行うことができ、しかも、貯湯タンクへの貯湯を無駄に行うことを抑制できることとなって、効率の向上を図るとともに、省エネルギー化およびコストの低減を図りながら、空調対象空間の空調や貯湯タンクへの貯湯を行うことが可能となる貯湯式の給湯熱源装置を提供できるに至った。
【００１８】
請求項２に記載の発明によれば、前記給湯用時間帯設定手段は、前記貯湯タンク内の湯水を実際に給湯した実給湯状況に基づいて、前記給湯用時間帯を設定するように構成されている。
【００１９】
すなわち、給湯用時間帯設定手段は、各家庭により貯湯タンク内の湯水を給湯する時間帯が異なる場合でも、貯湯タンク内の湯水を実際に給湯した時間帯に対応した給湯用時間帯を設定できることになるので、運転制御手段は、各家庭での使用パターンに対応する状態で、貯湯タンクへの貯湯を無駄に行うことを抑制しながら、貯湯タンク内の湯水を給湯することが予測できる時間帯に備えて貯湯タンクに貯湯することができることになる。
したがって、使用者は、貯湯タンク内の湯水を実際に給湯するだけで、貯湯タンクへの貯湯を無駄に行うことを抑制しながら、その実際に給湯した時間帯には、貯湯タンク内に貯湯された湯水を給湯に使用することができることになって、使用者の使い勝手を向上することができることになる。
【００２０】
請求項３に記載の発明によれば、前記空調運転用時間帯設定手段は、前記空調要求に基づいて実際に前記ヒートポンプ装置を前記空調運転させた実空調運転状況に基づいて、前記空調運転用時間帯を設定するように構成されている。
【００２１】
すなわち、空調運転用時間帯設定手段は、各家庭により空調運転を行う時間帯が異なる場合でも、実際に空調運転を行った時間帯に対応した空調運転用時間帯を設定できることになるので、運転制御手段は、各家庭での使用パターンに対応する状態で、空調運転を行っているときに加熱運転を行うことができることになる。
したがって、運転制御手段は、使用者が実際に空調運転を行った時間帯においては、空調運転を行っているときに加熱運転を行うことができることなって、各家庭での使用パターンに合わせて、ヒートポンプ装置を効率良く運転させることができ、効率の向上を効果的に図ることができることになる。
【００２２】
請求項４に記載の発明によれば、前記運転制御手段は、前記給湯用時間帯において前記貯湯タンク内の湯水を実際に給湯した実給湯量に基づいて、前記目標貯湯量を求めるように構成されている。
【００２３】
すなわち、運転制御手段は、使用者が貯湯タンク内の湯水を実際に給湯した実給湯量に対応した量を給湯用時間帯の開始時刻に貯湯タンクに貯湯するように、ヒートポンプ装置を加熱運転させることができることになるので、使用者が使用すると予測できる量だけを給湯用時間帯の開始時刻に貯湯タンクに貯湯できることになる。
したがって、使用者が使用するだけの量が貯湯タンク内に貯湯されていない湯切れを防止しながら、貯湯タンクへの余剰な貯湯を防止することができることとなって、使用者の使い勝手を悪くすることなく、エネルギーロスを的確に抑制することができることになる。
【００２４】
請求項５に記載の発明によれば、前記運転制御手段は、前記給湯用時間帯設定手段による給湯用時間帯設定情報および前記空調運転用時間帯設定手段による空調運転用時間帯設定情報に基づいて、前記加熱運転用時間帯の後の前記空調運転用時間帯内に後処理用加熱運転用時間帯を設定し、その後処理用加熱運転用時間帯においては、空調要求により前記空調運転を行っているときに後処理用の目標貯湯量を前記貯湯タンク内に貯湯するために前記加熱運転を行うように、前記ヒートポンプ装置の運転を制御するように構成されている。
【００２５】
すなわち、給湯用時間帯には、貯湯タンク内に貯湯されていた湯水がほとんど使用されることも予測されるので、給湯用時間帯の後の時間帯には、貯湯タンク内には給湯に使用可能な湯水がほとんど貯湯されていないことが予測される。
したがって、運転制御手段は、加熱運転用時間帯の後の空調運転用時間帯内に後処理用加熱運転用時間帯を設定することにより、ヒートポンプ装置を空調運転することが予測されて、ヒートポンプ装置を連続運転させて空調運転を行うときに加熱運転を行えることが予測される時間帯であって、かつ、貯湯タンク内には給湯に使用可能な湯水がほとんど貯湯されていないことが予測されて、その後の給湯に備えて加熱運転を行うべき時間帯を、後処理用加熱運転時間帯とすることができることになる。
【００２６】
そして、運転制御手段は、後処理用加熱運転用時間帯においては、空調運転を行っているときに後処理用の目標貯湯量を貯湯タンク内に貯湯するために加熱運転を行うように、ヒートポンプ装置の運転を制御することにより、貯湯タンク内に貯湯されていた湯水のほとんどを給湯に使用した後においても、ヒートポンプ装置を連続運転させながら、空調対象空間の空調や貯湯タンクへの貯湯を行うことができることになる。
したがって、各家庭での使用パターンに合わせて、給湯に対する要求に的確に応えながら、より一層の効率の向上を図ることができることになる。
【００２７】
【発明の実施の形態】
本発明にかかる貯湯式の給湯熱源装置をエンジンヒートポンプ式冷暖房給湯システムに適応した例を図面に基づいて説明する。
このエンジンヒートポンプ式冷暖房給湯システムは、図１および図２に示すように、貯湯タンク１内に温度成層を形成しながら貯湯したり、貯湯タンク１内に貯湯された湯水を給湯したり、貯湯タンク１内の湯水を加熱して外部放熱部２にて放熱する貯湯ユニットＡと、空調対象空間の空調運転と貯湯タンク１内の湯水を加熱するための加熱運転としての貯湯運転を実行可能なヒートポンプ装置としてのエンジンヒートポンプ式冷暖房装置Ｂとから構成されている。
【００２８】
前記貯湯ユニットＡは、この貯湯ユニットＡの運転を制御する貯湯ユニット制御部Ｃ、貯湯タンク１、貯湯タンク１内の湯水を循環するための循環路３、循環路３を通流する湯水を加熱する加熱部４、循環路３を通流する湯水と熱交換して放熱する外部放熱部２などから構成され、循環ポンプＰ１を作動させて貯湯タンク１内の湯水を循環路３にて循環しながら、加熱部４にて加熱したり、外部放熱部２にて放熱するようにしている。
【００２９】
前記貯湯タンク１内には、その貯湯量が最低確保量以上であるかを、その湯温を検出することにより検出する最上部サーミスタＳ１、その貯湯量が「少」以上であるかを、その湯温を検出することにより検出する上部サーミスタＳ２、その貯湯量が「中」以上であるかを、その湯温を検出することにより検出する中部サーミスタＳ３、その貯湯量が「満」以上であるかを、その湯温を検出することにより検出する底部サーミスタＳ４が設けられている。
【００３０】
前記貯湯タンク１には、その底部から貯湯タンク１に水道水圧を用いて給水する給水路５が接続され、その上部から風呂場や台所などに給湯するための給湯路６が接続され、風呂場や台所などで使用された量だけの水を給水路５から貯湯タンク１に給水するように構成されている。
前記給湯路６には、給水路５から分岐された混合用給水路７が接続され、その接続箇所に給湯路６からの湯水と混合用給水路７からの水との混合比を調整自在なミキシングバルブ８が設けられている。
前記給水路５における混合用給水路７の分岐箇所よりも上流側には、給水温度を検出する給水サーミスタ９が設けられ、給水路５および混合用給水路７の夫々には、逆止弁１０が設けられている。
ちなみに、給湯路６には、オーバーフロー路１１が接続され、そのオーバーフロー路１１にエアー抜き弁１２が設けられている。
【００３１】
また、給湯路６におけるミキシングバルブ８よりも上流側には、貯湯タンク１の上部から給湯路６に給湯された湯水の温度を検出する貯湯出口サーミスタ１３が設けられ、給湯路６におけるミキシングバルブ８よりも下流側には、給湯路６の湯水の流量を調整する給湯用水比例バルブ１５、ミキシングバルブ８にて混合された湯水の温度を検出するミキシングサーミスタ１４が設けられている。
【００３２】
前記ミキシングサーミスタ１４よりも下流側の給湯路６が、台所や洗面所などの図外の給湯栓に給湯する一般給湯路１６と、図外の浴槽に湯水を供給するための湯張り路１７とに分岐され、湯張り路１７が浴槽からの風呂戻り路１８に接続され、風呂戻り路１８および風呂往き路１９の両路を通して浴槽に湯水を供給するようにしている。
前記一般給湯路１６には、一般給湯路１６を通流する湯水の流量を検出する給湯流量センサ２０が設けられ、湯張り路１７には、湯張り路１７を通流する湯水の流量を検出する湯張り流量センサ２１、湯張り電磁弁２２、バキュームブレーカ２３、湯張り逆止弁２４が上流側から順に設けられている。
【００３３】
給湯操作手段Ｇが、貯湯出口サーミスタ１３、給水サーミスタ９、ミキシングバルブ８、ミキシングサーミスタ１４、給湯用水比例バルブ１５、給湯流量センサ２０、および、湯張り電磁弁２２などにより構成されている。
そして、一般給湯路１６に給湯したり、浴槽に湯張りするときには、貯湯出口サーミスタ１３、給水サーミスタ９、および、ミキシングサーミスタ１４の検出情報に基づいて、ミキシングバルブ８の開度を調整することにより、所望の温度の湯水を供給するようにしている。
【００３４】
前記循環路３と貯湯タンク１とが、循環路３を通流する湯水を貯湯タンク１内に戻す、または、貯湯タンク１内の湯水を循環路３に取り出すために、貯湯タンク１の上部１箇所と底部２箇所の合計３箇所で連通接続されている。
具体的に説明すると、貯湯タンク１の上部には、循環路３と貯湯タンク１とを接続する上部接続路２５が給湯路６の上流側を介して連通接続され、貯湯タンク１の底部には、循環路３を通流する湯水を給水路５の下流側を介して貯湯タンク１内の底部に戻す戻し路２６と、貯湯タンク１内の底部の湯水を循環路３に取り出す取り出し路２７とが連通接続されている。
【００３５】
そして、上部接続路２５には、上部開閉弁２８が設けられ、戻し路２６には、戻し開閉弁２９が設けられ、取り出し路２７には、貯湯タンク１の底部から取り出した湯水の温度を検出する取り出しサーミスタ３０が設けられている。
【００３６】
前記加熱部４は、エンジンヒートポンプ式冷暖房装置Ｂによる冷媒を供給して湯水を加熱するヒートポンプ式加熱部３３と、エンジンヒートポンプ式冷暖房装置Ｂのエンジン排熱を回収した冷却水を供給して湯水を加熱するエンジン排熱利用式加熱部３４と、バーナの燃焼により湯水を加熱する補助加熱部３５とから構成されている。
そして、循環路３の湯水の循環方向において上流側から、ヒートポンプ式加熱部３３、エンジン排熱利用式加熱部３４、補助加熱部３５の順に設けられている。
【００３７】
前記補助加熱部３５は、図示はしないが、ガス燃焼式のバーナおよびこのバーナに燃焼用空気を供給するファンなどが設けられ、バーナの燃焼により循環路３を通流する湯水を加熱し、ファンの回転速度およびバーナへの燃料ガス供給量を調整して、補助加熱部３５にて加熱後の湯水の温度を調整するように構成されている。
【００３８】
前記外部放熱部２は、循環路３を通流する湯水と暖房用の熱媒としての温水とを熱交換する暖房用放熱部４２と、循環路３を通流する湯水と浴槽内の湯水とを熱交換して追焚きする風呂用放熱部４３とから構成されている。
そして、循環路３が、暖房用放熱部４２を備えた暖房用循環路３ａと、風呂用放熱部４３を備えた風呂用循環路３ｂとに分岐され、暖房用放熱部４２と風呂用放熱部４３とが並列に接続されている。
【００３９】
また、暖房用循環路３ａには、暖房用放熱部４２よりも湯水の循環方向の下流側に暖房用開閉弁４４が設けられ、風呂用循環路３ｂには、風呂用放熱部４３よりも湯水の循環方向の下流側に風呂用開閉弁４５が設けられている。
そして、暖房用循環路３ａの暖房用開閉弁４４よりも湯水循環方向の下流側と風呂用循環路３ｂの風呂用開閉弁４５よりも下流側とがひとつの流路に合流され、その合流された流路に放熱戻りサーミスタ６０が設けられている。
【００４０】
前記暖房用放熱部４２では、暖房ポンプＰ２を作動させることにより、暖房戻り路４６および暖房往き路４７を通して循環する熱媒と循環路３を通流する湯水とを対流させて熱交換させるように構成されている。
そして、暖房戻り路４６には、熱媒の循環方向の上流側から順に、暖房戻り路４６の熱媒の温度を検出する暖房戻りサーミスタ４８、補給水タンク４９、暖房ポンプＰ２が設けられ、暖房往き路４７には、暖房往き路４７の熱媒の温度を検出する暖房往きサーミスタ５０が設けられている。
暖房操作手段Ｊが、暖房戻りサーミスタ４８、暖房往きサーミスタ５０、および、暖房ポンプＰ２などにより構成されている。
【００４１】
前記補給水タンク４９には、水位の上限を検出する上限センサ５１と下限を検出する下限センサ５２とが設けられ、給水路５から分岐されたタンク給水路５３が接続され、そのタンク給水路５３には、補給水電磁弁５４が設けられている。また、暖房戻り路４６と暖房往き路４７とを接続する暖房バイパス路５５が設けられている。
【００４２】
前記風呂用放熱部４３では、風呂ポンプＰ３を作動させることにより、風呂戻り路１８および風呂往き路１９を通して循環する浴槽内の湯水と循環路３を通流する湯水とを対流させて熱交換させるように構成されている。
前記風呂戻り路１８には、浴槽内の湯水の循環方向の上流側から順に、浴槽内の湯水の水位を検出する水位センサ５６、風呂戻り路１８の湯水の温度を検出する風呂戻りサーミスタ５７、二方弁５８、風呂ポンプＰ３、風呂水流スイッチ５９が設けられている。
風呂操作手段Ｈが、水位センサ５６、風呂戻りサーミスタ５７、二方弁５８、風呂水流スイッチ５９、および、風呂ポンプＰ３などにより構成されている。
【００４３】
前記循環路３には、取り出し路２７との接続箇所から湯水循環方向に、循環ポンプＰ１、ヒートポンプ式加熱部用入口サーミスタ６１、ヒートポンプ式加熱部用開閉弁６２、ヒートポンプ式加熱部３３、エンジン排熱利用式加熱部３４、排熱利用式加熱部出口サーミスタ６３、循環流量センサ６４、循環流量調整弁６５、補助加熱部３５、貯湯サーミスタ６６が設けられている。
また、循環路３には、ヒートポンプ式加熱部３３をバイパスさせるヒートポンプ式加熱部用バイパス路６７が接続され、そのヒートポンプ式加熱部用バイパス路６７には、バイパス用開閉弁６８が設けられている。
【００４４】
循環調整手段Ｆが、排熱利用式加熱部出口サーミスタ６３、循環流量センサ６４、循環流量調整弁６５、貯湯サーミスタ６６などにより構成され、循環流量調整弁６５の開度を調整して、加熱部４にて加熱された湯水の温度を調整自在に構成されている。
【００４５】
湯水循環手段Ｅが、循環路３、循環ポンプＰ１、および、ヒートポンプ式加熱部用開閉弁６２、バイパス用開閉弁６８、上部開閉弁２８、戻し開閉弁２９などの複数の開閉弁により構成され、貯湯タンク１の底部から循環路３に取り出した湯水を、ヒートポンプ式加熱部３３を通過させる状態で循環させる非バイパス循環状態と、貯湯タンク１の底部から循環路３に取り出した湯水を、ヒートポンプ式加熱部３３を通過させない状態で循環させるバイパス循環状態とに切り換え自在に構成されている。
【００４６】
前記エンジンヒートポンプ式冷暖房装置Ｂは、複数の室内機７１、室外機７２、室内機７１および室外機７２の運転を制御するヒートポンプ運転制御部Ｄとから構成され、複数の空調対象空間（例えば、各部屋）を空調することができるように構成されている。
また、室内機７１と室外機７２と貯湯ユニットＡにおけるヒートポンプ式加熱部３３とは、冷媒配管７３で接続され、エンジンヒートポンプ式冷暖房装置Ｂにおける冷媒をヒートポンプ式加熱部３３に供給できるように構成されている。
【００４７】
前記複数の室内機７１の夫々には、電子膨張弁７４、室内熱交換器７５、その室内熱交換器７５で温調した空気を空調対象空間へ送出する室内空調用送風機７６が備えられ、室内熱交換器７５にて凝縮された冷媒の温度を検出する冷媒サーミスタ８９の検出情報に基づいて、電子膨張弁７４の開度を調整するようにしている。
前記室外機７２には、ガスエンジン７７、圧縮機７８、アキュムレータ７９、四方弁８０、室外熱交換器８１、その室外熱交換器に対し外気を通風する室外空調用送風機８２が備えられ、ガスエンジン７７の排熱を外部に放熱するためのラジエーター８３、および、ラジエーター用送風機８４も備えられている。
ヒートポンプ運転手段Ｋが、電子膨張弁７４、ＨＰ加熱用電子膨張弁７４ａ、室内空調用送風機７６、ガスエンジン７７、回転速度センサ７７ａ、圧縮機７８、四方弁８０、室外空調用送風機８２、低圧検出手段８７、および、高圧検出手段８８などにより構成されている。
【００４８】
また、ガスエンジン７７の冷却用の冷却水をラジエーター８３との間で循環させる冷却水路８５が設けられ、この冷却水路８５にラジエーター用ポンプＰ４が設けられ、ガスエンジン排熱を回収した冷却水を、加熱供給路９０を通してエンジン排熱利用式加熱部３４に供給する加熱状態とラジエーター８３に供給して排熱される排熱状態とに切り換え自在な排熱切換機構８６が設けられている。
冷却水循環手段Ｌが、ラジエーター用ポンプＰ４、排熱切換機構８６、ラジエーター用送風機８４などにより構成されている。
【００４９】
そして、エンジンヒートポンプ式冷暖房装置Ｂは、空調リモコンＲ１からの空調要求によりヒートポンプ運転制御部Ｄにて運転が制御され、ガスエンジン７７により圧縮機７８を作動させて、四方弁８０の切換え操作により冷房運転と暖房運転とを選択自在に構成され、室内機７１の電子膨張弁７４の開閉制御により、空調要求のある部屋の空調を行うように構成されている。
また、ヒートポンプ式加熱部３３にて循環路３の湯水を加熱するときには、暖房運転させるとともに、ＨＰ加熱用電子膨張弁７４ａを制御して、ヒートポンプ式加熱部３３に冷媒を供給するように構成されている。
【００５０】
前記冷房運転においては、図２の実線で示すように、冷媒を流動させて、室内熱交換器７５を蒸発器として機能させて、空調対象空間への供給空気を冷却温調し、室外熱交換器８１を凝縮器として機能させて外気に対して放熱するようにしている。
この冷房運転では、低圧側の冷媒の圧力を検出する低圧検出手段８７の検出情報に基づいて、その検出圧力が冷房用の目標圧力になるようにガスエンジン７７の回転速度を検出する回転速度センサ７７ａの検出情報に基づいてガスエンジン７７の回転速度を制御するようにしている。
【００５１】
前記暖房運転においては、図２の点線で示すように、冷媒を流動させて、室内熱交換器７５を凝縮器として機能させて、空調対象空間への供給空気を加熱温調し、室外熱交換器８１を蒸発器として機能させて外気から吸熱するようにしている。
この暖房運転では、高圧側の冷媒の圧力を検出する高圧検出手段８８の検出情報に基づいて、その検出圧力が暖房用の目標圧力になるように回転速度センサ７７ａの検出情報に基づいてガスエンジン７７の回転速度を制御するようにしている。
そして、この暖房運転において、ＨＰ加熱用電子膨張弁７４ａを開弁状態にして、冷媒配管７３を通してヒートポンプ式加熱部３３に高圧冷媒を供給することにより循環路３を通流する湯水を加熱するようにしている。
【００５２】
また、冷房運転および暖房運転において、排熱切換機構８６を加熱状態に切り換えることによって、エンジン排熱利用式加熱部３４に冷却水を供給することにより循環路３を通流する湯水を加熱するようにしている。
【００５３】
前記貯湯ユニット制御部Ｃとヒートポンプ運転制御部Ｄとは、図３に示すように、エンジンヒートポンプ式冷暖房装置Ｂが空調運転中であることや、エンジンヒートポンプ式冷暖房装置Ｂへの駆動要求などの制御信号を送受信可能に構成にされ、貯湯ユニット制御部Ｃとヒートポンプ運転制御部Ｄとにより運転制御手段Ｕが構成されている。
【００５４】
前記ヒートポンプ運転制御部Ｄは、空調対象空間としての各部屋に設置されている空調リモコンＲ１からの空調要求および貯湯ユニット制御部Ｄからの制御信号に基づいて、ヒートポンプ運転手段Ｋおよび冷却水循環手段Ｌの夫々の運転を制御して、空調対象空間への冷房運転や暖房運転などの空調運転を実行するように構成されている。
前記貯湯ユニット制御部Ｃは、貯湯リモコンＲ２の指令およびヒートポンプ運転制御部Ｄからの制御信号に基づいて、湯水循環手段Ｅ、循環調整手段Ｆ、給湯操作手段Ｇ、風呂操作手段Ｈ、暖房操作手段Ｊ、補助加熱部３５の夫々の運転を制御して、貯湯タンク１内の湯水を加熱する加熱運転としての貯湯運転、外部放熱部２にて放熱する放熱運転などの夫々の運転を実行するように構成されている。
【００５５】
ちなみに、貯湯ユニット制御部Ｃは、貯湯タンク１内の湯水を給湯するときには、貯湯タンク１の貯湯量が最低確保量以上であるときに、貯湯タンク１内の湯水を給湯路６に給湯して、所望の温度になるように給湯操作手段Ｇを制御し、貯湯タンク１の貯湯量が最低確保量未満であるときに、貯湯タンク１の低部から取り出した湯水を補助加熱部３５にて加熱し、その加熱された湯水を上部接続路２５から給湯路６に給湯して、所望の温度になるように給湯操作手段Ｇを制御するようにしている。
【００５６】
以下、各運転について説明を加える。
前記冷房運転について説明すると、ヒートポンプ運転制御部Ｄは、空調リモコンＲ１から空調要求としての冷房要求があると冷房運転を行い、冷房要求がある部屋に相当する電子膨張弁７４を開状態にして、室内熱交換器７５を蒸発器として機能させて、空調対象空間への供給空気を冷却温調し、室外熱交換器８１を凝縮器として機能させて外気に対して放熱させるように、ヒートポンプ運転手段Ｋを制御するようにしている。
そして、ヒートポンプ運転制御部Ｄは、ラジエーター用ポンプＰ４を作動させ、ラジエーター用送風機８４を作動させラジエーター８３にて放熱させ、冷却水路８５を通流する冷却水が加熱用設定温度以上になると、排熱切換機構８６を加熱状態に切り換えて、冷却水をエンジン排熱利用式加熱部３４に供給するように、冷却水循環手段Ｌの運転を制御するようにしている。
【００５７】
前記暖房運転について説明をすると、ヒートポンプ運転制御部Ｄは、空調リモコンＲ１から空調要求としての暖房要求があると暖房運転を行い、暖房要求がある部屋に相当する電子膨張弁７４を開状態にして、室内熱交換器７５を凝縮器として機能させて、空調対象空間への供給空気を加熱温調し、室外熱交換器８１を蒸発器として機能させて外気から吸熱させるように、ヒートポンプ運転手段Ｋを制御するようにしている。
そして、ヒートポンプ運転制御部Ｄは、ラジエーター用ポンプＰ４を作動させ、ラジエーター用送風機８４を作動させラジエーター８３にて放熱させ、冷却水路８５を通流する冷却水が加熱用設定温度以上になると、排熱切換機構８６を加熱状態に切り換えて、冷却水をエンジン排熱利用式加熱部３４に供給するように、冷却水循環手段Ｌの運転を制御するようにしている。
【００５８】
以下、前記貯湯運転について説明するが、まず、貯湯運転を行うための条件について説明し、次に、貯湯運転の動作について説明する。
前記貯湯運転を行うための条件について説明すると、貯湯ユニット制御部Ｃには、貯湯タンク１内の湯水を給湯することが予測される給湯用時間帯を設定する給湯用時間帯設定手段Ｃ１と、エンジンヒートポンプ式冷暖房装置Ｂを空調運転することが予測される空調運転用時間帯を設定する空調運転用時間帯設定手段Ｃ２とが設けられている。
そして、貯湯ユニット制御部Ｃは、給湯用時間帯設定手段Ｃ１による給湯用時間帯設定情報および空調運転用時間帯設定手段Ｃ２による空調運転用時間帯設定情報に基づいて加熱運転用時間帯を求める加熱運転用時間帯演算処理を実行して、加熱運転用時間帯においては、ヒートポンプ運転制御部Ｄにて空調要求により暖房運転または冷房運転の空調運転を行っているときに貯湯運転を行うように、エンジンヒートポンプ式冷暖房装置Ｂの運転を制御するように構成されている。
すなわち、貯湯ユニット制御部Ｃは、加熱運転用時間帯においては、ヒートポンプ運転制御部Ｄからの制御信号により空調運転を行っているか否かを判別し、空調運転を行っているときには貯湯運転を行い、空調運転が行われていないときには貯湯運転を行わないようにしている。
【００５９】
前記加熱運転用時間帯演算処理について説明すると、給湯用時間帯設定手段Ｃ１は、貯湯タンク１内の湯水を実際に給湯した実給湯状況に基づいて、給湯用時間帯を設定するように構成され、空調運転用時間帯設定手段Ｃ２は、空調要求に基づいて実際にエンジンヒートポンプ式冷暖房装置Ｂを空調運転させた実空調運転状況に基づいて、空調運転用時間帯を設定するように構成されている。
また、貯湯ユニット制御部Ｃは、給湯用時間帯において貯湯タンク１内の湯水を実際に給湯した実給湯量に基づいて、目標貯湯量を求めるように構成されている。
【００６０】
そして、貯湯ユニット制御部Ｃは、給湯用時間帯設定手段Ｃ１による給湯用時間帯設定情報および空調運転用時間帯設定手段Ｃ２による空調運転用時間帯設定情報に基づいて、貯湯運転によって給湯用時間帯の開始時刻に貯湯タンク１内の貯湯量を目標貯湯量にするための加熱運転開始時刻を空調運転用時間帯内に求め、その加熱運転開始時刻から給湯用時間帯の開始時刻までを加熱運転用時間帯として求めるように構成されている。
【００６１】
１日における実給湯状況を示すデータである図４の（イ）、および、１日における実空調運転状況を示すデータである図４の（ロ）に基づいて、加熱運転用時間帯演算処理について具体的に説明すると、給湯用時間帯設定手段Ｃ１は、貯湯タンク１内の湯水を実際に給湯した実給湯状況に基づいて、図４の（イ）に示すように、１時間を単位時間帯として、１日における単位時間帯あたりの実給湯量としてのエネルギー量（ｋＷ・ｈ）をカウントする。
そして、給湯用時間帯設定手段Ｃ１は、例えば、図４の（イ）に示されているようなデータが得られた場合には、貯湯タンク１内の湯水を実際に給湯した時間帯が集中している１８時〜２４時を次の日の給湯用時間帯として設定する。
【００６２】
また、空調運転用時間帯設定手段Ｃ２は、実際にエンジンヒートポンプ式冷暖房装置Ｂを空調運転させた実空調運転状況に基づいて、図４の（ロ）に示すように、１時間を単位時間帯として、１日における単位時間帯の夫々について、ヒートポンプ運転制御部Ｄからの制御信号により空調運転が行われたか否かをカウントする。
そして、空調運転用時間帯設定手段Ｃ２は、例えば、図４の（ロ）に示されているようなデータが得られた場合には、実際にエンジンヒートポンプ式冷暖房装置Ｂを空調運転させた時間帯が集中している１４時〜２４時を次の日の空調運転用時間帯として設定する。
【００６３】
このようにして、次の日の給湯用時間帯および空調運転用時間帯が設定されると、貯湯ユニット制御部Ｃは、図４の（イ）に示されているデータにより、給湯用時間帯に使用された量が多量であるので、目標貯湯量を「満」とするともに、貯湯運転によって貯湯タンク１内の貯湯量を目標貯湯量としての「満」にするために約２時間かかることから、１６時を加熱運転開始時刻とし、図４の（ハ）に示すように、加熱運転開始時刻である１６時から給湯用時間帯の開始時刻である１８時までを加熱運転用時間帯とする。
【００６４】
前記貯湯ユニット制御部Ｃは、上述の加熱運転用時間帯の他に、給湯用時間帯設定手段Ｃ１による給湯用時間帯設定情報および空調運転用時間帯設定手段Ｃ２による空調運転用時間帯設定情報に基づいて、加熱運転用時間帯の後の空調運転用時間帯内に後処理用加熱運転用時間帯を設定し、その後処理用加熱運転用時間帯においては、空調要求により空調運転を行っているときに後処理用の目標貯湯量を貯湯タンク１内に貯湯するために貯湯運転を行うように、エンジンヒートポンプ式冷暖房装置Ｂの運転を制御するように構成されている。
【００６５】
具体的に説明すると、貯湯ユニット制御部Ｃは、図４の（イ）および（ロ）に示されているデータから１６時〜１８時を加熱運転用時間帯とし、１４時〜２４時を空調運転用時間帯としているので、１８時〜２４時の間で後処理用加熱運転時間帯を設定することになる。
そして、図４の（イ）に示されているデータから２０時台および２１時台に貯湯タンク１内の湯水が多量に給湯されることが予測できるので、図４の（ハ）に示すように、その後の２２時台を後処理用加熱運転用時間帯として設定する。
【００６６】
また、貯湯ユニット制御部Ｃは、後処理用加熱運転用時間帯としての２２時台には、ヒートポンプ運転制御部Ｄからの制御信号により空調運転を行っているか否かを判別し、空調運転を行っているときには、後処理用の目標貯湯量として、例えば、貯湯タンク１内の貯湯量が「少」となるように貯湯運転を行い、空調運転が行われていないときには貯湯運転を行わないようにしている。
【００６７】
このようにして、貯湯ユニット制御部Ｃは、エンジンヒートポンプ式冷暖房装置Ｂを空調運転することが予測されて、エンジンヒートポンプ式冷暖房装置Ｂを連続運転させて空調運転を行うときに貯湯運転を行えることが予測される時間帯であって、かつ、その後に貯湯タンク１内の湯水を給湯することが予測されて、その給湯に備えて貯湯運転を行うべき時間帯を、加熱運転用時間帯および後処理用加熱運転時間帯として求めることができることになる。
そして、貯湯ユニット制御部Ｃは、その加熱運転用時間帯および後処理用加熱運転時間帯には、空調要求により空調運転を行っているときに貯湯運転を行い、エンジンヒートポンプ式冷暖房装置Ｂを連続運転させながら、空調対象空間の空調や貯湯タンク１への貯湯を行うことができ、しかも、貯湯タンク１への貯湯を無駄に行うことを抑制できることとなって、効率の向上を図るとともに、省エネルギー化およびコストの低減を図ることができることになる。
【００６８】
ちなみに、貯湯ユニット制御部Ｃは、使用者による人為操作により貯湯リモコンＲ２から貯湯運転を行うべき指令があると、貯湯タンク１内の貯湯量が貯湯リモコンＲにて設定された貯湯量となるように貯湯運転を行うことができるように構成されている。
【００６９】
前記貯湯運転の動作について説明するが、暖房運転または冷房運転を行っているときに貯湯運転を行うことになるので、暖房運転を行っている場合と、冷房運転を行っている場合とに分けて説明する。
【００７０】
前記暖房運転を行っている場合には、ヒートポンプ運転制御部Ｄは、上述の暖房運転を行っているので、ＨＰ加熱用電子膨張弁７４ａを開弁状態にして、冷媒配管７３を通してヒートポンプ式加熱部３３に高圧冷媒を供給するとともに、冷却水路８５を通流する冷却水が加熱用設定温度以上になると、排熱切換機構８６を加熱状態に切り換えて、冷却水をエンジン排熱利用式加熱部３４に供給するように、冷却水循環手段Ｌの運転を制御するようにしている。
そして、ヒートポンプ運転制御部Ｄは、暖房要求があるすべての部屋の温度が暖房用目標温度以上となり、空調対象空間が目標空調状態になっても、エンジンヒートポンプ式冷暖房装置Ｂを連続運転させて、上述の如く、ＨＰ加熱用電子膨張弁７４ａを開弁状態にして、ヒートポンプ式加熱部３３に高圧冷媒を供給するとともに、冷却水をエンジン排熱利用式加熱部３４に供給するように、冷却水循環手段Ｌの運転を制御するようにしている。
また、貯湯ユニット制御部Ｃは、循環調整手段Ｆを非バイパス状態で運転させるとともに、貯湯サーミスタ６６による検出温度が貯湯設定温度（例えば、８０℃）になるように循環調整手段Ｆを制御するようにしている。
【００７１】
このようにして、暖房運転を行っている場合には、貯湯タンク１の底部から取り出した湯水を、ヒートポンプ式加熱部３３およびエンジン排熱利用式加熱部３４にて加熱し、その加熱された湯水を貯湯タンク１の上部に戻して、貯湯タンク１への貯湯を行うようにしている。
そして、加熱運転用時間帯においては、貯湯タンク１内の貯湯量が目標貯湯量になるまで、上述の動作が継続され、後処理用時間帯においては、後処理用の目標貯湯量になるまで、上述の動作が継続される。
【００７２】
ちなみに、貯湯タンク１内の貯湯量の検出については、最上部サーミスタＳ１、上部サーミスタＳ２、中部サーミスタＳ３、底部サーミスタＳ４の各種サーミスタおよび循環流量センサ６４の検出情報に基づいて行うようにしている。
【００７３】
前記冷房運転を行っている場合には、ヒートポンプ運転制御部Ｄは、冷却水路８５を通流する冷却水が加熱用設定温度以上になると、排熱切換機構８６を加熱状態に切り換えて、冷却水をエンジン排熱利用式加熱部３４に供給するように、冷却水循環手段Ｌの運転を制御するようにしている。
そして、ヒートポンプ運転制御部Ｄは、冷房要求があるすべての部屋の温度が冷房用目標温度以下となり、空調対象空間が目標空調状態となっても、エンジンヒートポンプ式冷暖房装置Ｂを連続運転させて、上述の如く、冷却水をエンジン排熱利用式加熱部３４に供給するように、冷却水循環手段Ｌの運転を制御するようにしている。
また、貯湯ユニット制御部Ｃは、循環調整手段Ｆをバイパス状態で運転させるとともに、貯湯サーミスタ６６による検出温度が貯湯設定温度（例えば、８０℃）になるように循環調整手段Ｆを制御するようにしている。
【００７４】
このようにして、冷房運転を行っている場合には、貯湯タンク１の底部から取り出した湯水を、ヒートポンプ式加熱部３３を迂回させてエンジン排熱利用式加熱部３４にて加熱し、その加熱された湯水を貯湯タンク１の上部に戻して、貯湯タンク１への貯湯を行うようにしている。
そして、加熱運転用時間帯においては、貯湯タンク１内の貯湯量が目標貯湯量になるまで、上述の動作が継続され、後処理用時間帯においては、後処理用の目標貯湯量になるまで、上述の動作が継続される。
【００７５】
前記放熱運転について説明を加えると、湯水循環手段Ｅを運転させて、循環路３を通流する湯水を補助加熱部３５にて加熱するとともに、追焚きの要求があると、風呂操作手段Ｈを運転させ、暖房の要求があると、暖房操作手段Ｊを運転させて、風呂用放熱部４３および暖房用放熱部４２において、補助加熱部３５にて加熱した湯水にて浴槽の湯水および暖房端末（例えば、床暖房装置や浴室暖房装置）からの熱媒を加熱することにより、浴槽の湯水の追焚きおよび暖房端末への熱媒の循環供給を行うようにしている。
【００７６】
前記貯湯運転についての貯湯ユニット制御部Ｃにおける制御動作を、図５のフローチャートに基づいて説明する。
まず、給湯用時間帯設定手段Ｃ１による給湯用時間帯設定情報および空調運転用時間帯設定手段Ｃ２による空調運転用時間帯設定情報に基づいて、加熱運転用時間帯演算処理を実行して、加熱運転用時間帯を演算し、その加熱運転用時間帯の後の空調用時間帯に、後処理用加熱運転用時間帯を設定する（ステップ１，２）。
そして、加熱運転用時間帯になると、暖房運転または冷房運転の空調運転中であるか否かを判別し、空調運転中であると、貯湯タンク１内に目標貯湯量貯湯するように貯湯運転を行う（ステップ３〜５）。
また、加熱運転用時間帯を経過した後、後処理用加熱運転時間帯になると、暖房運転または冷房運転の空調運転中であるか否かを判別し、貯湯タンク１内に後処理用の目標貯湯量貯湯するように貯湯運転を行う（ステップ６〜８）。
【００７７】
〔別実施形態〕
（１）上記実施形態では、給湯用時間帯設定手段Ｃ１が、１日の実給湯状況に基づいて、次の日の給湯用時間帯を設定するようにしているが、例えば、１週間などの複数日の実給湯状況に基づいて、次の日の給湯用時間帯を設定するなど、給湯用時間帯を設定する構成については、適宜変更が可能である。
また、給湯用時間帯設定手段Ｃ１は、人為的に設定された時間帯を給湯用時間帯として設定することも可能である。
【００７８】
（２）上記実施形態では、空調運転用時間帯設定手段Ｃ２が、１日の実空調運転状況に基づいて、次の日の空調運転用時間帯を設定するようにしているが、例えば、１週間などの複数日の実給湯状況に基づいて、次の日の空調運転用時間帯を設定するなど、空調運転用時間帯を設定する構成については、適宜変更が可能である。
また、空調運転用時間帯設定手段Ｃ２は、人為的に設定された時間帯を空調運転用時間帯として設定することも可能である。
【００７９】
（３）上記実施形態では、貯湯ユニット制御部Ｃは、給湯用時間帯において貯湯タンク１内の湯水を実際に給湯した実給湯量に基づいて、目標貯湯量を求めるようにしているが、例えば、貯湯リモコンＲ２にて設定された貯湯量を目標貯湯量とするなど、目標貯湯量について適宜変更が可能である。
【００８０】
（４）上記実施形態では、貯湯ユニット制御部Ｃおよびヒートポンプ運転制御部Ｄは、加熱運転用時間帯に加えて、後処理用加熱運転用時間帯においても、空調要求により空調運転を行っているときに貯湯運転を行うようにしているが、貯湯ユニット制御部Ｃおよびヒートポンプ運転制御部Ｄは、加熱運転用時間帯においてのみ、空調要求により空調運転を行っているときに貯湯運転を行うように構成して実施することも可能である。
【００８１】
（５）上記実施形態では、貯湯ユニットＡは、外部放熱部２を設けて、貯湯運転に加えて、放熱運転を実行するようにしているが、外部放熱部２を設けずに、貯湯運転のみを実行するようにして実施することも可能である。
【００８２】
（６）上記実施形態では、加熱部４を、ヒートポンプ式加熱部３３、エンジン排熱利用式加熱部３４、補助加熱部３５とから構成しているが、例えば、加熱部４を、ヒートポンプ式加熱部３３と補助加熱部３５とから構成することも可能であり、加熱部４の構成については、適宜変更が可能である。
ちなみに、加熱部４をヒートポンプ式加熱部３３と補助加熱部３５とから構成する場合には、加熱運転用時間帯および後処理用加熱運転用時間帯においては、暖房要求により暖房運転を行っているときに貯湯運転を行うことになる。
【００８３】
（７）上記実施形態では、貯湯タンク１内の湯水を循環路３に取り出して加熱部４を通過させることにより、貯湯タンク１内の湯水を加熱するようにしているが、例えば、貯湯タンク１内に冷媒や冷却水を通流させるなど、貯湯タンク１内の湯水を加熱するための構成については適宜変更することが可能である。
【図面の簡単な説明】
【図１】貯湯ユニットの概略構成図
【図２】エンジンヒートポンプ式冷暖房装置の概略構成図
【図３】エンジンヒートポンプ式冷暖房装置システムの制御ブロック図
【図４】実給湯状況、実空調運転状況、および、加熱運転用時間帯と後処理用加熱運転用時間帯を示すグラフ
【図５】貯湯ユニット制御部の制御動作を示すフローチャート
【符号の説明】
１              貯湯タンク
Ｂ              ヒートポンプ装置
Ｃ１            給湯用時間帯設定手段
Ｃ２            空調運転用時間帯設定手段
Ｕ              運転制御手段
【図１】
2004205139.tif 000003
【図２】
2004205139.tif 000004
【図３】
2004205139.tif 000005
【図４】
2004205139.tif 000006
【図５】
2004205139.tif 000007